(57)【要約】【課題】ストロボのポップダウン動作時の衝撃や振動を小さくして各部品間の干渉音を小さくした撮像装置を提供する。【解決手段】レンユニット５に連動して収納位置と突出位置との間で移動する発光部９を備えた撮像装置１００であって、レンズユニット５に連動して移動するカムフォロア１８と、カムフォロア１８と接触することで、カムフォロア１８の移動方向と直交するシャフト４１を中心として回転するリンクレバー２１と、発光部９を軸支し、リンクレバー２１の回転に応じて発光部９を収納位置と突出位置との間で移動させるリンク２０とを有し、リンクレバー２１と接するカムフォロア１８の接触面５４は、接触面５４の法線がカムフォロア１８とリンクレバー２１との接触点５５の軌跡により描かれる円５０の接線と一致するように形成されている。【選択図】図８
2010186089.tif 000002
【特許請求の範囲】
【請求項１】
レンズ鏡筒に連動して収納位置と突出位置との間で移動する発光部を備えた撮像装置であって、
前記レンズ鏡筒に連動して移動する移動部材と、
前記移動部材と接触することで、前記移動部材の移動方向と直交する軸を中心として回転するリンクレバー部材と、
前記発光部を軸支し、前記リンクレバー部材の回転に応じて前記発光部を前記収納位置と前記突出位置との間で移動させるリンク部材と、を有し、
前記リンクレバー部材と接する前記移動部材の接触面は、該接触面の法線が該移動部材と該リンクレバー部材との接触点の軌跡により描かれる円の接線と一致するように形成されていることを特徴とする撮像装置。
【請求項２】
前記移動部材の前記接触面は、前記円の接線上を中心として描かれる円周の一部を有することを特徴とする請求項１記載の撮像装置。
【請求項３】
前記移動部材の前記接触面は、前記円の接線上を中心として描かれる円周の一部を有する第一の接触面と、前記円周よりも小さい曲率を有する第二の接触面と、を備えたことを特徴とする請求項１記載の撮像装置。
【請求項４】
前記移動部材に対する前記リンクレバー部材の接触面は、球Ｒ形状であることを特徴とする請求項１乃至３のいずれか一に記載の撮像装置。
【発明の詳細な説明】
【技術分野】
【０００１】
本発明は、ポップアップストロボを有する撮像装置に関する。
【背景技術】
【０００２】
カメラは、小型で携帯性に優れたものが好まれ、様々な小型化のための創意工夫がなされている。また近年では、レンズ性能が向上し、よりワイドな画角が撮影できるズームレンズや、大口径レンズを用いてより明るい開放Ｆ値を持つレンズが小型カメラにも搭載されている。ところが、このような小型カメラで被写体を撮ると、ストロボの発光がレンズユニットで遮られて影ができる場合がある。画角の広角化により撮影画面が広がり、レンズの大口径化により大きな影が生じるようになると、通常のストロボのレイアウト構成では対応できない。そこで、撮影時にはストロボ発光部をカメラ本体から突出させてレンズユニットから遠くに移動させることにより影が写り込まないようにする、所謂「ポップアップストロボ」が実用化されている。
【０００３】
例えば特許文献１には、カメラ本体内の回転軸を中心として、発光部をカメラ上方へ突出させるストロボ構造が開示されている。このストロボ構造では、非使用時には発光部がカメラ本体と一体となるように収納されているが、使用時には発光部が回転軸を中心に４５度程度回転して突出して被写体正面方向を向く。一方、ポップダウンさせる場合には、撮影者の手で発光部を押し下げて閉じる。
【０００４】
特許文献２には、鏡筒の動作に連動してファインダー対物レンズを移動させるとともに、この対物レンズの移動に連動させてストロボ装置のポップアップ及びポップダウンを行わせるカメラが開示されている。
【先行技術文献】
【特許文献】
【０００５】
【特許文献１】特開昭６２−１２１４２８号公報（第１Ａ図、第１Ｂ図、第２Ａ図、第２Ｂ図）
【特許文献２】特開平７−１９９２９５号（図１、図４）
【発明の概要】
【発明が解決しようとする課題】
【０００６】
特許文献１の構成では、ケラレ対策のための改善がなされているものの、ポップアップ時に発光部が前方にせり出すように移動するため、移動した跡地が大きく凹んで美観が損なわれる。また、その跡地にゴミや異物が容易に進入して蓄積しやすい。また、手動又は電磁式による駆動では、撮影の瞬間にポップアップ操作を行う必要があるため、シャッターチャンスを逃す場合がある。さらに、ポップアップ操作時の衝撃音で周囲に不快感を与え、撮影直前のポップアップ振動によってカメラのオートフォーカスが狂うことによりピンボケになるおそれもある。一方、特許文献２の構成では、ストロボ装置のポップアップ時及びポップダウン時の衝撃や振動により、各部品間の干渉音が生じる。
【０００７】
そこで本発明は、ストロボのポップダウン動作時の速度を落とすことなく、衝撃や振動を小さくして各部品間の干渉音を小さくした撮像装置を提供する。
【課題を解決するための手段】
【０００８】
本発明の一側面としての撮像装置は、レンズ鏡筒に連動して収納位置と突出位置との間で移動する発光部を備えた撮像装置であって、前記レンズ鏡筒に連動して移動する移動部材と、前記移動部材と接触することで、前記移動部材の移動方向と直交する軸を中心として回転するリンクレバー部材と、前記発光部を軸支し、前記リンクレバー部材の回転に応じて前記発光部を前記収納位置と前記突出位置との間で移動させるリンク部材とを有し、前記リンクレバー部材と接する前記移動部材の接触面は、該接触面の法線が該移動部材と該リンクレバー部材との接触点の軌跡により描かれる円の接線と一致するように形成されている。
【０００９】
本発明の他の目的及び特徴は、以下の実施例において説明される。
【発明の効果】
【００１０】
本発明によれば、ストロボのポップダウン動作時の速度を落とすことなく、衝撃や振動を小さくして各部品間の干渉音を小さくした撮像装置を提供することができる。
【図面の簡単な説明】
【００１１】
【図１】本実施例における撮像装置の外観構成図である。
【図２】本実施例における撮像装置の分解図である。
【図３】本実施例における撮像装置の外観構成図である。
【図４】本実施例における撮像装置の外観構成図である。
【図５】本実施例におけるレンズユニットの分解図である。
【図６】本実施例におけるストロボユニットの分解図である。
【図７Ａ】本実施例において、発光部がポップアップ状態である場合のストロボユニットの断面図である。
【図７Ｂ】本実施例において、発光部がポップダウン開始状態である場合のストロボユニットの断面図である。
【図７Ｃ】本実施例において、発光部がポップダウン状態である場合のストロボユニットの断面図である。
【図７Ｄ】本実施例において、発光部がポップダウン完了状態である場合のストロボユニットの断面図である。
【図８】本実施例において、発光部がポップダウンの動作を開始したときのストロボユニットの要部断面図である。
【図９Ａ】本実施例におけるカムフォロアの断面図である。
【図９Ｂ】本実施例におけるカムフォロアの斜視図である。
【図９Ｃ】本実施例におけるポップダウンの速度とカムフォロアの移動量の関係図である。
【発明を実施するための形態】
【００１２】
以下、本発明の実施例について、図面を参照しながら詳細に説明する。各図において、同一の部材については同一の参照番号を付し、重複する説明は省略する。
【００１３】
まず、本実施例における撮像装置の概略について説明する。図１は、本実施例における撮像装置１００（カメラ）の外観構成図である。図１に示されるように、撮像装置１００は、カメラ本体１、フロントカバー２、リアカバー３、ベース４、レンズユニット５（レンズ鏡筒）、ズームレバー８、及び、メインスイッチ７を備えて構成される。図２は、本実施例における撮像装置１００の分解図である。発光部９を有するストロボユニット６及びレンズユニットは、ベース４に保持され、フロントカバー２及びリアカバー３により覆われている。
【００１４】
図３は、本実施例における撮像装置１００の外観構成図であり、撮像装置１００に電源が入力された直後の状態を示している。メインスイッチ７がＯＦＦの場合、レンズユニット５は、沈胴してカメラ本体１に収納されている。一方、メインスイッチ７がＯＮの場合、レンズユニット５は、カメラ本体１から図３にされるワイド画角位置まで繰り出す。メインスイッチ７がＯＦＦの場合、図１に示されるように、発光部９はポップダウンしてカメラ本体１内の収納位置に収納される。一方、メインスイッチ７がＯＮの場合、図３に示されるように、発光部９は、レンズユニット５に連動してカメラ本体１から突出位置にポップアップする。このように、本実施例の撮像装置１００は、レンズユニット５に連動して収納位置と突出位置との間で移動する発光部９を備えている。
【００１５】
図４は、本実施例における撮像装置１００の外観構成図であり、ズーム動作後の撮像装置１００の状態を示している。メインスイッチ７により電源がＯＮになった場合、ズームレバー８の操作によって、レンズユニット５が図４に示されるテレ画角位置まで繰り出し、撮影画角を調整することができる。撮影画角を調整している間、発光部９はポップアップした状態を維持している。
【００１６】
図５は、本実施例におけるレンズユニット５の分解図である。レンズユニット５は、ホルダー１０に取付けられた固定筒１１、及び、その外側を覆うレンズカバー１２によって、基本の構造体を形成する。１３は、固定筒１１の外周部を旋回する駆動リングである。駆動リング１３は、モーター１４がギア列１５を介してギア部１３ａを駆動することにより回転し、固定筒１１に設けたカム溝１１ａによって１群鏡筒１６及び２群鏡筒１７を光軸方向に移動させる。この移動によって、撮像装置１００の電源がＯＦＦの場合、１群鏡筒１６及び２群鏡筒１７がレンズカバー１２に収納される収納位置（図１）に戻る。撮像装置１００の電源がＯＮの場合、１群鏡筒１６及び２群鏡筒１７を繰り出してワイド画角位置（図３）に移動させる。その後、撮影者の操作に応じて１群鏡筒１６及び２群鏡筒１７をワイド画角位置（図３）からテレ画角位置（図４）の任意位置に停止させる。
【００１７】
１８はレンズユニット５に設けられたカムフォロア（移動部材）である。カムフォロア１８は、駆動リング１３に設けたカム溝１３ｂに係合させてあり、駆動リング１３の回転に応じて、ガイドシャフト１９に沿って前後方向に移動する。ここで、カム溝１３ｂの形状は、駆動リング１３が収納位置にある場合にはカムフォロア１８が最後端に位置し、ワイド画角位置にある場合には最先端に位置するように設定される。またカム溝１３ｂの形状は、駆動リング１３がワイド画角位置からテレ画角位置の間にある場合、カムフォロア１８が最先端に位置したまま動かないように設定される。すなわち、カムフォロア１８は、収納位置からワイド画角位置まで動くのに伴い移動し、ワイド画角位置からテレ画角位置の間は動かないように構成されている。
【００１８】
図６は、本実施例におけるストロボユニット６の分解図である。ストロボベース３７は、ストロボユニット６の全体を支持する支持部である。ストロボベース３７の上部には、発光部９を収納するための収納部３７ａが設けられている。収納部３７ａの両側面には、摺動軸３６を摺動させるためのガイド溝３７ｂが対向配置されている。
【００１９】
まず、発光部９の基本部分であるホルダー２２の軸受２２ｄに、リンク２０を、第一バネ３８と第一シャフト３９と共に取付ける。次に、軸受部３７ｄに、リンク２０、リンクレバー２１（リンクレバー部材）、及び、第二バネ４０を入れ、第二シャフト４１（軸）で回転自在に取付ける。第二シャフト４１はカムフォロア１８の移動方向と直交する軸である。第二バネ４０は、第一バネ３８より線径が太くて許容応力の強い材料で作られており、第一バネ３８を付勢可能な強いバネ力に設定されている。
【００２０】
４２は収納部カバーである。収納部カバー４２は、カバーバネ４３と共に、カバーシャフト４４でストロボベース３７の軸受部３７ｇに回動自在に取り付けられ、閉じ方向へ常時付勢される。４２ａ、４２ｂはストッパーである。ストッパー４２ａ、４２ｂは、収納部カバー４２を開き方向へ回転させたときに、ストロボベース３７に係止してそれ以上開かなくなるように構成されている。
【００２１】
４５はストロボ基板である。ストロボ基板４５は、ストロボベース３７にビス４６で固定され、リード線２４、２５、３３、３４が接続されている。また、ストロボ基板４５には、発光部９の動作状態を検出するための検出スイッチ４７が実装されている。４８はメインコンデンサである。メインコンデンサ４８は、ストロボ発光に必要な電力を予め充電し、発光時にその電力を供給する。ストロボユニット６は、リンクレバー２１でリンク２０を移動させることにより発光部９を作動させる。
【００２２】
図７Ａ乃至図７Ｄは、発光部９の作動状態を示す断面図である。発光部９の内部には、キセノン管２３、反射傘２６、フレネル２７、及び、トリガーコイル３２が設けられている。発光部９は、トリガー信号を受けることにより発光する。図７Ａに示されるように、無負荷状態では、第一バネ３８および第二バネ４０の付勢力によって発光部９がポップアップした状態にある。カムフォロア１８が、図７Ａ中の矢印方向（左方向）へ移動すると、リンクレバー２１がカムフォロア１８に接触したのち、リンクレバー２１及びリンク２０はカムフォロア１８に押されて時計方向に回転する。この結果、図７Ｃに示されるように、発光部９はポップダウンする。逆に、図７Ｃの状態においてカムフォロア１８が図７Ｃ中の右方向へ移動すると、再び、図７Ａに示されるように、第一バネ３８および第二バネ４０の付勢力によって発光部９はポップアップする。
【００２３】
図８は、発光部９がポップダウンの動作を開始したときのストロボユニット６の要部断面図である。発光部９のポップダウン動作が開始すると、カムフォロア１８は、矢印１８ａの方向（図８中の左方向）に移動し、リンクレバー２１に接触する。リンクレバー２１は、カムフォロア１８の移動に応じて、撮像装置１００に固定された第二シャフト４１（軸）を中心として回転する。リンク２０（リンク部材）は、発光部９を軸支し、リンクレバー２１の回転に応じて発光部９を収納位置と突出位置との間で移動させる。リンクレバー２１は、リンク２０に当接してリンク２０に対して所定角度をなす係止位置と、所定角度より開いた作動位置との間で作動可能である。リンクレバー２１が作動すると、第二バネ４０の付勢によって発光部９を突出位置（ポップアップ位置）から収納位置（ポップダウン位置）へ移動させることができる。
【００２４】
図８において、５０は、リンクレバー２１の回転軸である第二シャフト４１を中心として、カムフォロア１８とリンクレバー２１との接触点５５の軌跡により描かれる円である。５４は、リンクレバー２１と接するカムフォロア１８の接触面である。接触面５４は、接触面５４の法線が円５０の接線と一致するように形成されている。ここで「一致」とは、完全に一致する場合に限定されるものではなく、実質的に一致している場合をも含む。５２は、円５０の接線上（接線ベクトル５３上）を中心とした円である。好ましくは、接触面５４は、円５２（円周）の一部を備えて構成されている。
【００２５】
図８中のカムフォロア１８の移動方向ベクトル５１と接線ベクトル５３のなす角が小さくなるほど、リンクレバー２１とカムフォロア１８との接触開始時に発生する振動や衝撃は小さくなる。このような振動や衝撃が小さい場合、接触開始時に発生する音も小さくなり、滑らかな動作を開始することが可能となる。また、本実施例において、カムフォロア１８に対するリンクレバー２１の接触面はＲ面であるが、これに限定されるものではなく、例えば球Ｒ形状でもよい。
【００２６】
図９Ａは、カムフォロア１８の接触面５４の詳細を示す断面図である。カムフォロア１８の接触面５４は、第１の曲率Ｒ１を有する第１の接触面５４ａと、第１の曲率Ｒ１よりも小さい第２の曲率Ｒ２を有する第２の接触面５４ｂとを含む。第１の接触面５４ａは、円５２（円周）の一部から構成されている。カムフォロア１８とリンクレバー２１との接触開始時には、振動や衝撃が小さくなるように、リンクレバー２１はカムフォロア１８の第一の接触面５４ａに当接する。接触動作の途中から、カムフォロア１８の移動が小さくなるように、すなわち移動方向ベクトル５１と接線ベクトル５３のなす角が大きくなるように、第二の接触面５４ｂに当接する。カムフォロア１８の接触面５４を複数の曲率を有するＲ面（第一の接触面５４ａ、第二の接触面５４ｂ）で形成することにより、接触開始時の振動や衝撃を小さくし、少ない移動量で動作を完了することができる。
【００２７】
図９Ｂは、図９Ａのカムフォロア１８の斜視図であり、カムフォロア１８の接触面５４が２つの曲面（第一の接触面５４ａ、第二の接触面５４ｂ）で形成されていることを示している。カムフォロア１８の接触面５４は２つの曲面で形成されているが、本実施例はこれに限定されるものではない。カムフォロア１８の接触面５４は、３つ以上の異なる曲率を有する接触面で形成してもよい。例えば、３つの接触面にすることで、ポップアップの最初と最後に対し、ポップアップ中の速度のみを速くすることが可能となる。
【００２８】
図９Ｃは、本実施例におけるポップダウンの速度とカムフォロア１８の移動量との関係図である。図９Ｃ中の縦軸はポップダウン速度を示し、横軸はカムフォロア移動量を示している。カムフォロア１８の移動開始から第一の接触面５４ａでの接触中は、振動や衝撃の発生を防ぐため、ポップダウン速度は遅い。一方、第二の接触面５４ｂでの接触中は、カムフォロア１８の移動量が少なくなり、ポップダウン速度が速くなる。本実施例における撮像装置１００（カメラ）は、以上のように構成されている。
【００２９】
次に、本実施例の撮像装置１００におけるストロボユニット６の動作について説明する。まず、メインスイッチ７をＯＦＦした状態においては、図７Ｄに示されるように、カムフォロア１８が左方向に移動した位置にあり、それに押されてリンクレバー２１が時計方向に回転した状態にある。ここで、前述のように、第二バネ４０は第一バネ３８より強いバネ力であるように設定されている。このため、第二バネ４０の力に押されてリンク２０が第一バネ３８をチャージしながら、発光部９を押し下げた状態に維持している。したがって、発光部９がポップダウンした状態で、さらにリンクレバー２１をポップダウンする方向へ付勢するため、より確実にポップダウン状態を維持することが可能となる。収納部カバー４２は、押し下げられた発光部９に追従して、カバーバネ４３により押し下げられて発光部９の上面を覆う。このため、異物混入を防止し、美観を維持することができる。
【００３０】
次に、メインスイッチ７をＯＮにする。このとき、レンズユニット５が沈胴状態からワイド端状態まで繰り出し始めるのに応じて、まず図７Ｄに示されるように、カムフォロア１８が右方向に移動し始める。そして、図７Ｃに示されるように、リンクレバー２１が第二バネ４０の力で半時計方向に回転し、リンクレバー２１のストッパー２１ａがリンク２０の受け面２０ａに当接する。その後、図７Ｂに示されるように、カムフォロア１８の右方向への移動に追従して、発光部９を付勢する第一バネ３８の力でリンクレバー２１とリンク２０とが一体となって回転し、発光部９がポップアップ位置に至る。さらに、カムフォロア１８が所定量だけ右方向に移動してリンクレバー２１から所定量だけ離れた位置まで移動すると、レンズユニット５がワイド端位置に達し、図７Ａの状態でポップアップ動作が完了する。すなわち、メインスイッチ７をＯＮしてレンズユニット５をワイド端位置に繰り出す動作によって、発光部９を自動的にポップダウン位置からポップアップ位置へ移動させることができる。
【００３１】
ズームレバー８を操作することにより、レンズユニット５の撮影画角をテレ端からワイド端まで任意に選択して撮影を行うことができる。このとき、前述のように、カムフォロア１８はワイド端からテレ端の間において移動せず、カムフォロア１８とリンクレバー２１とのクリアランスは維持される。このため、レンズユニット５の動作によって発光部９の突出状態に影響が及ぶことはなく、逆に、発光部９によってレンズユニット５の動作を妨げることもない。したがって、発光部９がポップアップした状態で、発光部９が外圧を受けたときの鏡筒への影響をより確実に防ぐことができる。
【００３２】
撮影の終了後、メインスイッチ７をＯＦＦする。このとき、カムフォロア１８は図７Ａ中の矢印１８ａの方向に移動し、リンクレバー２１を押し始める。前述のとおり、第二バネ４０は第一バネ３８より強いバネ力になるように設定されている。このため、第二バネ４０の力でストッパーがリンク２０の受け面に当接した状態を維持して、一体となって時計方向に回転し、第一シャフト３９を介して発光部９をポップダウン方向へ移動させる。このように、収納時はカムフォロア１８からリンクレバー２１へ伝わる作動力によって、発光部９を自動的にポップアップ位置からポップダウン位置へ移動させることができる。また、これに伴い、第一バネ３８がチャージされる。
【００３３】
図７Ｃに示されるように、発光部９がポップダウンすると、さらにカムフォロア１８が所定量だけ左方向に移動する。図７Ｃから図７Ｄの状態に達する間は、リンク２０は固定された状態で、リンクレバー２１だけが第二バネ４０の力に抗して反時計方向に回転される。したがって、発光部９がポップダウンした状態でさらにリンクレバー２１をポップダウンする方向へ付勢できるため、より確実にポップダウン状態を維持することが可能となる。
【００３４】
本実施例によれば、ストロボのポップダウン動作時の速度を落とすことなく、衝撃や振動を小さくして各部品間の干渉音を小さくした撮像装置を提供することができる。
【００３５】
以上、本発明の実施例について具体的に説明した。ただし、本発明は上記実施例として記載された事項に限定されるものではなく、本発明の技術思想を逸脱しない範囲内で適宜変更が可能である。
【符号の説明】
【００３６】
５  レンズユニット
９  発光部
１８  カムフォロア
２０  リンク
２１  リンクレバー
３９  第一シャフト
４１  第二シャフト
５０、５２  円
５３  接線ベクトル
５４  接触面
１００  撮像装置
【図１】
2010186089.tif 000003
【図２】
2010186089.tif 000004
【図３】
2010186089.tif 000005
【図４】
2010186089.tif 000006
【図５】
2010186089.tif 000007
【図６】
2010186089.tif 000008
【図７Ａ】
2010186089.tif 000009
【図７Ｂ】
2010186089.tif 000010
【図７Ｃ】
2010186089.tif 000011
【図７Ｄ】
2010186089.tif 000012
【図８】
2010186089.tif 000013
【図９Ａ】
2010186089.tif 000014
【図９Ｂ】
2010186089.tif 000015
【図９Ｃ】
2010186089.tif 000016